(57)【要約】【課題】通信網選択機能を有する情報通信端末、及びこれらの通信網との通信方法では、入力した電話番号が、選択した通信網に対応していない場合、発信操作における操作ミスによる発信不可となることがあった。【解決手段】特定の通信網に対応する識別情報を予め登録しておくことで、電話番号を入力して発信を行うとき、制御部は該入力情報と該識別情報を比較する。  制御部は、入力情報と識別情報に含まれる情報とが一致した場合には、特定の通信網と通信を行う基地局とアクセスし、一致しない場合には、他の通信網とアクセスを行うよう制御する。  この制御方法、及び制御方法を複数の通信網を利用可能な情報通信端末に適用することで、複数の通信網の選択を容易にする。【選択図】      図１
2008177727.tif 000002
【特許請求の範囲】
【請求項１】
複数の通信網と通信可能な無線通信手段と、
特定の通信網を利用するときに、前記特定の通信網を決定する通信網識別情報を保持する記憶手段と、
情報の入力を受け付ける入力手段と、
通信時に、前記入力手段より受け付けた情報に対して、前記通信網識別情報の有無を検出する検出手段と、
前記識別情報が含まれている場合には、前記特定の通信網に接続する基地局へアクセスし、
含まれていない場合には、他の通信網に接続する基地局にアクセスするよう制御する制御手段と
を有する情報通信端末。
【請求項２】
前記無線通信手段は、無線ＬＡＮ通信および移動体通信を行う機能を有する請求項１に記載の情報通信端末。
【請求項３】
前記特定の通信網は、ＰＢＸ（私設構内交換機）を利用する構内通信網である請求項２に記載の情報通信端末。
【請求項４】
前記通信網識別情報は、前記ＰＢＸを利用するために用いる発信コードを含む請求項２乃至３のいずれか１項に記載の情報通信端末。
【請求項５】
前記記憶手段は、さらに前記通信網識別情報の関連情報も保持する請求項４に記載の情報通信端末。
【請求項６】
前記入力手段は、タッチパネル式表示手段であり、
前記識別情報は、前記タッチパネル式表示手段に表示されるアイコン情報を含む請求項３乃至５のいずれか１項に記載の情報通信端末。
【請求項７】
複数の通信網と基地局を経由して接続可能な情報通信端末を利用する通信網選択方法において、
特定の通信網にアクセスするための情報を含む識別情報を記憶し、
発信時に受け付けた入力情報に、前記識別情報が含まれているかを比較し、
含まれている場合には、前記特定の通信網に接続する第１の基地局と通信し、
含まれていない場合には、他の通信網に接続する第２の基地局と通信するよう制御する制御手段を有する前記情報通信端末の通信網選択方法。
【請求項８】
前記第１の基地局は、ＰＢＸを利用する構内通信網に接続し、前記第２の基地局は移動体通信網に接続する請求項７に記載の通信網選択方法。
【請求項９】
前記情報通信端末は、前記第１の基地局と無線ＬＡＮにより通信する請求項８に記載の通信網選択方法。
【請求項１０】
前記通信網識別情報は、前記ＰＢＸを利用するために用いる発信コードを含む請求項８乃至９のいずれか１項に記載の通信網選択方法。
【請求項１１】
前記情報通信端末は、さらに記憶手段を有し、
前記記憶手段は、前記通信網識別情報の関連情報も保持する請求項１０に記載の通信網選択方法。
【請求項１２】
前記情報通信端末は、さらにタッチパネル式表示手段を有し、
前記制御手段は、
前記識別情報をアイコン情報に置き換えて、前記タッチパネル式表示手段に表示し、
特定のアイコン情報にタッチされたことを検出すると、
前記特定のアイコン情報に置き換えられた前記識別情報を出力する請求項９乃至１１のいずれか１項に記載の通信網選択方法。
【発明の詳細な説明】
【技術分野】
【０００１】
本発明は、選択した発信番号に対応する通信網を選択可能な通信網選択機能付情報通信端末、及び選択した発信番号に対応する通信網を選択する通信網選択方法に関する。
【背景技術】
【０００２】
近年の情報通信技術の著しい発展により、情報通信端末が、特定の通信網だけではなく、複数の通信網を利用することも可能になってきている。
【０００３】
また、複数の情報通信網を利用可能な情報通信端末が、状況に応じて、複数の通信網を使い分ける方法は従来から開示されてきている。
【０００４】
たとえば、複数の通信方式を利用可能な情報通信端末であって、電話番号を選択して発信するときに、この電話番号に対応付けした通信方式種別で発信する電話通信装置がある。
【０００５】
たとえば、まず、電話帳に登録する際に、電話番号に対応付けて通信方式種別を登録する。次に、電話番号を選択して発信するときに、この通信方式種別の登録内容と自端末の通信方式種別を照合し、発信する電話番号に対応付けて登録された通信方式に従って、発信を行う電話通信装置がある（特許文献１：特開２０００−０４９９６１号公報参照）。
【０００６】
また、電話番号自体に含まれる通信事業者に割り当てられた事業者識別コードを識別することで、最適な通信網と接続して通信を行う無線通信装置がある（特許文献２：特開２０００−１５６８８０号公報参照）。
【０００７】
さらに、実際に内蔵した無線ＬＡＮを利用してＰＢＸと接続することで利用可能となるＰＢＸ網と、通常の情報通信端末として利用可能である移動体通信網の両方が使用可能な情報通信端末が市場に出てきている。
【０００８】
【特許文献１】特開２０００−０４９９６１号公報
【特許文献２】特開２０００−１５６８８０号公報
【発明の開示】
【発明が解決しようとする課題】
【０００９】
しかしながら、複数の通信網を利用するとき、ある特定の発信先に対して、どの通信網を利用して発信を行うかを任意に設定することは困難であった。
【００１０】
なぜならば、特許文献１に記載の電話通信装置は、電話帳登録時に、特定の電話番号に対して、特定の通信網を設定する。このため、特定の電話番号に向けて発信を行う場合、電話帳に登録された通信網を利用することになる。
【００１１】
あるいは、特許文献２に記載の無線通信装置は、発信時に電話番号自体に含まれる事業者識別コードを識別することによって、利用する通信網を選択する。このため、発信者が任意で通信網を選択することは不可能であった。
【００１２】
また、複数の通信網に対応する発信ボタンを有する情報通信端末を利用した場合、それぞれの通信網に対応する発信ボタンを有するため、一旦電話番号を入力した後、この電話番号に対応する通信網とは異なる発信ボタンを押下すると発信エラーとなり、操作も煩雑になることがあった。
【００１３】
そこで、本発明は上記の事情に鑑みてなされたものであり、その目的は、単純な操作で複数の無線通信網それぞれに接続する基地局を容易に選択してアクセスすることを目的とする。
【課題を解決するための手段】
【００１４】
本発明の通信網選択方法を用いた情報通信端末は、
特定の通信網と通信可能な無線通信手段と、特定の通信網を利用するときに、前記特定の通信網を決定する通信網識別情報を保持する記憶手段と、情報の入力を受け付ける入力手段と、通信時に、前記入力手段より受け付けた情報に対して、前記通信網識別情報の有無を検出する検出手段と、前記識別情報が含まれている場合には、前記特定の通信網に接続する基地局へアクセスし、含まれていない場合には、他の通信網に接続する基地局にアクセスするよう制御する制御手段とを有することを特徴とする。
【００１５】
また、本発明の通信網選択方法は、複数の通信網と基地局を経由して接続可能な情報通信端末を利用する通信網選択方法において、特定の通信網にアクセスするための情報を含む識別情報を記憶し、発信時に受け付けた入力情報に、前記識別情報が含まれているかを比較し、含まれている場合には、前記特定の通信網に接続する第１の基地局と通信し、含まれていない場合には、他の通信網に接続する第２の基地局と通信するよう制御手段を有することを特徴とする。
【発明の効果】
【００１６】
本発明の通信網選択方法、及び通信網選択方法を利用した情報通信端末は、複数の通信網と通信可能であり、これらの通信網の通信網のうち、いずれの通信網を利用するかを判定するための識別コードを一覧表形式にしたデータとを有する。
【００１７】
これにより、ユーザは、ある相手に対して、相手先電話番号情報に加えて、通信網を選択するための識別コードを含めて発信を行うと、情報通信端末内で識別コード表を参照して対応する通信網に向けて接続を行うことにより、ユーザは、任意の通信網を利用して通信を行うことが容易となる効果を有する。
【発明を実施するための最良の形態】
【００１８】
本発明の実施の形態について図面を用いて詳細に説明する。
まず、複数の通信網を利用可能な無線ＬＡＮ通信機能を搭載した情報通信端末（以降、端末１と称する）の構成について、図１及び図２を用いて説明する。
【００１９】
図１は、本発明の実施の形態における端末１の構成の例を示すブロック図である。
【００２０】
図１において、端末１は、ＣＰＵ１２と、端末１の通信網との通信制御、認証や、端末上のソフト等の実行、制御、及び表示部１０の制御、操作部９からの入力制御など、端末１の動作を指示するコンピュータプログラムを記憶するメモリ（ＲＯＭ：Read Only Memory）６を含む制御部１１と、端末１が通常の動作時に利用する電話帳データ、メールデータなどを記憶するメモリ（ＲＡＭ：Random Access Memory）５とを含む。
【００２１】
メモリ５は、通常の端末１が用いる電話帳情報や着信音用データなどに加え、通信網識別情報を記憶しており、特にこれを記憶している部分を通信網識別情報部５１とする。
【００２２】
無線通信部３は、アンテナ４を介して図２に示す通信網システムと無線通信を行う機能を有し、制御部１１が決定した発信先基地局の種別に応じて、送信信号を変調して無線信号として通信網に送出し、また、通信網からの無線信号を復調しディジタル信号として制御部１１に送出する。この場合、無線通信部３は、後述する図２に示す基地局Ａ１６との移動体通信のための通信機能と、図２に示す基地局Ｂ１５と無線ＬＡＮ通信のための無線ＬＡＮ通信機能を有する。
【００２３】
また、端末１は、音声通話を行うために、ユーザに対して音声出力を行うスピーカ７と、端末１への音声入力を受け付けるマイク８と、キーパッド等からユーザの入力を受け付け、これらの各種キーやテンキー９２、及び発信ボタン９１からのキー入力を信号に変換し、制御部１１に送出する操作部９と、受信したメール情報や画像などの各種情報を表示可能な表示部１０とを含む。
【００２４】
音声処理部２は、マイク８から入力された音声を音声データに変換して無線通信部３へ出力し、且つ無線通信部３から受信した音声データを音声に変換してスピーカ７に出力する。
【００２５】
次に、端末１が、基地局Ａ１６と基地局Ｂ１５と通信を行う構成について説明する。
【００２６】
図２は、本発明の実施の形態を示す通信網システムのブロック図である。
【００２７】
図２は、この通信網システムとして、基地局Ａ１６と、基地局Ｂ１５と、これらの基地局から接続可能な通信網のイメージを示したものである。
【００２８】
本発明の実施の形態の通信網システムは、図２に示すように、端末１が、基地局Ａ１６を介して移動体通信網１７と接続する通信経路と、基地局B１５と、この基地局がＰＢＸ（ｐｒｉｖａｔｅ  ｂｒａｎｃｈ  ｅｘｃｈａｎｇｅ）１４を介してＰＢＸ網１３と接続する通信経路とを有する。
【００２９】
なお、図２に示す移動体通信網１７とは、公衆網、有線通信網、一般電話回線網、インターネット網と通信可能である。
【００３０】
基地局Ａ１６は、たとえば、移動体通信網１７とアクセスするための基地局であり、他にも、基地局Ａ１６を介して、移動体通信網１７をはじめ、公衆網や、インターネット網と接続して通信が可能となる。
【００３１】
基地局Ｂ１５は、たとえば、無線ＬＡＮのアクセスポイント（ＡＰと称する）であり、このＡＰにアクセスした端末１は、ＰＢＸ１４と通信を行うことで、ＰＢＸ１４の機能により、ＰＢＸ網１３や、公衆網、移動体通信網１７、インターネット網と通信可能となる。
【００３２】
なお、ここでいう移動体通信網は、ＰＤＣ（Ｐｅｒｓｏｎａｌ  Ｄｉｇｉｔａｌ  Ｃｅｌｌｕｌａｒ：ピーディーシー）方式、ＣＤＭＡ２０００（Ｃｏｄｅ  Ｄｉｖｉｓｉｏｎ  Ｍｕｌｔｉｐｌｅ  Ａｃｃｅｓｓ  ２０００）方式のいずれであってもよい。もちろん、これ以外の通信方式の移動体通信網でもよい。
【００３３】
ここで、特定の通信網とは、ＰＢＸ網１３を示し、それに対して他の通信網とは移動体通信網１７をはじめ、公衆網、優先通信網、一般電話回線網を示す。
【００３４】
図３は、本発明の実施の形態に関わる基地局Ａ１６及び基地局Ｂ１５のエリアのイメージ図である。
【００３５】
この図３で示すエリアは、それぞれ、移動体通信網１７のみ利用可能である基地局Ａ１６のエリアＡ１８（図３の右上がり斜線部分）、ＰＢＸ網１３（ｐｒｉｂａｔｅ  ｂｒａｎｃｈ  ｅｘｃｈａｎｇｅ  ｎｅｔｗｏｒｋ）のみ利用可能な基地局Ｂ１５のエリアＢ１９（図３の右下がり斜線部分）、両方の基地局が利用可能なエリアＣ２０（図３の交叉斜線部分）、両方の基地局とも利用不可能なエリアＤ２１（図３の白い部分）とからなる。
【００３６】
ＰＢＸ網１３に接続する基地局Ｂ１５のエリア（図３のエリアＢ１９、エリアＣ２０）とは、端末１が基地局Ｂ１５とアクセス可能な範囲のエリアであり、たとえば社内フロアに位置する。
【００３７】
また、移動体通信網１７に接続する基地局Ａ１６のエリアとは、図３のエリアＡ１８とエリアＣ２０であり、基地局Ａ１６及び基地局Ｂ１５のエリア外（図３のエリアＤ２１）とは、基地局Ａ１６と基地局Ｂ１５とアクセス不可能な状態となるエリアを示し、たとえば地下街である。
【００３８】
次に、本発明の実施の形態の通信網識別情報について説明する。
【００３９】
通信網識別情報は、メモリ５の通信網識別情報記憶部５１に記憶されたものである。
【００４０】
図４は、この通信網識別情報記憶部５１のイメージ図である。
【００４１】
この通信網識別情報記憶部５１は、基地局B１５にアクセスするために必要な通信網識別情報５２を保持している。
【００４２】
本発明の実施の形態の端末１は、基地局Bにアクセスするための必要な発信コードは、ＰＢＸ網内通信である内線通信の場合は『８』、ＰＢＸ網外の通信である外線通信（公衆網や移動体通信網向け通信を示す）の場合には『１』とする。これに基づいて、図４では、網識別情報５２として、内線発信コードとして『８』、外線発信コードとして『１』が保持されている。
【００４３】
ここで、内線発信コードとは、基地局Ｂ１５を経由して、ＰＢＸ網内で内線通信を行うときに、内線用の電話番号（以降、内線番号と称する）に用いるコードであり、基地局Ｂ１５を経由してＰＢＸ網１３から、内線通信を行うときに、電話番号に追加する情報である。
【００４４】
すなわち、ユーザは、端末１で、内線発信コードを示す数字、たとえば『８』の番号を、相手先電話番号の頭に付加して発信を行う。
【００４５】
これに対して、外線発信コードとは、図２に示す移動体通信網１７をはじめ、公衆網や、一般電話回線網に接続する場合に用いるコードであり、基地局Ｂ１５を経由してＰＢＸ網１３から、外線通信を行うときに、電話番号に追加する情報である。
【００４６】
これも、内線発信コードと同様に、ユーザは、端末１で、外線発信コードを示す数字、たとえば『１』の番号を、相手先電話番号の頭に付加して、発信を行う。
【００４７】
ここでは、外線発信コードとして『１』を、内線発信コードとして『８』を用いるが、他の数字でも、２桁以上の数字でも構わない。
【００４８】
制御部１１は、発信時に受け付けた入力番号の頭に発信コードが付加されているか否かを、この通信網識別情報５２と比較して、いずれの基地局とアクセスするかを選択する。
【００４９】
基地局Ｂ１５を介して、端末１から発信コードを受けた場合、基地局Ｂ１５に接続しているＰＢＸ１４は、この端末１から受けた発信コードがいずれのものであるかに応じて、外線通信か、内線通信かを決定し、最適な通信網に対して通信を行うことになる。
【００５０】
たとえば、内線番号と内線発信コードを用いると、ＰＢＸ１４を用いて、ＰＢＸ網１３と接続して通信が可能となる。通常の公衆網用の電話番号でもある外線番号に、外線発信コードを用いて発信を行うと、ＰＢＸ１４を用いてＰＢＸ網１３から公衆網に向けて発信する。
【００５１】
また、通信網識別情報記憶部５１は、通信網識別情報５２に加えて、通信網識別情報５２に関連した情報である、関連情報５３も保持している。この関連情報５３とは、たとえば、発信相手ごとの入力番号を示す履歴情報や、発信相手先の電話番号の桁数を含む。
【００５２】
図５は、関連情報５３を一覧表として示したイメージ図である。
【００５３】
図５の一番上の行は、たとえば複数名分（ここでは、４名分として示す）の相手先氏名であり、左端の列は、通信網識別のために用いる関連情報５３の項目を示す。関連情報５３の項目とは、ここでは履歴情報や、発信相手先の電話番号の桁数として示している。しかし、通信網識別情報５２に関連のある情報であれば、この２つだけに限らなくともよい。
【００５４】
履歴情報とは、通常の電話番号、内線番号、あるいは内線発信コードや外線発信コードを用いて入力した番号情報など、ユーザが今までに、図５の一覧表の上段に示す相手先氏名に該当する相手先に対して発信を行うために行った入力情報を保持したものである。
【００５５】
電話番号桁数とは、相手先を示す電話番号（外線番号、内線番号のいずれも可）の桁数の情報を保持したものである。
【００５６】
たとえば、図５の相手先氏名が『佐藤Ａ太』である場合、履歴情報の項目に、過去に入力した入力情報として『８−１０−２３３１０』が保持されている。また、電話番号桁数として、内線番号を示す『１０−２３３１０』の桁数を示す『７』が保持されている。『伊藤Ｂ子』の場合、履歴情報の項目に『１−０３−１１１１−２２２２』が保持され、電話番号桁数として、外線番号を示す『０３−１１１１−２２２２』の桁数を示す『１０』が保持されている。
【００５７】
制御部１１は、これらの関連情報にある電話番号桁数より、発信時に入力された入力情報の桁数が１桁多い場合には、発信コードが付加されていると判別することも可能となる。
【００５８】
このように、関連情報５３に含まれる履歴情報、及び電話番号桁数とは、たとえば、端末１で発信を行うときに、制御部１１が、発信コードが付加されているか否かを判別するときの判別材料として用いることも可能である。
【００５９】
すなわち、図５の関連情報５３に示す『佐藤Ａ太』、『伊藤Ｂ子』の関連情報５３は、それぞれ保持されている『履歴情報』の番号の桁数は、同じく保持されている『電話番号桁数』の値より１つ多い。このため、制御部１１はそれぞれの『履歴情報』に保持されている発信番号の頭にある数字は、発信コードの『８』や、『１』を示すものと判別することになる。
【００６０】
これにより、制御部１１は、これらの履歴情報に保持されている発信番号を用いて発信した場合、それぞれ基地局Ｂ１５に接続する。
【００６１】
一方、『山田Ｃ雄』、『鈴木Ｄ美』の関連情報５３は、保持されている『履歴情報』の番号の桁数と、同じく保持されている『電話番号桁数』の値が同じであるため、制御部１１は、これらの『履歴情報』に保持されている電話番号は、発信コードを有してないと判断できる。
【００６２】
次に通信網識別情報記憶部内に作成される通信網識別情報５２、関連情報５３の作成について説明する。
【００６３】
制御部１１は、たとえば、ある相手先の電話帳作成時に、入力を受け付けた電話帳作成用のデータを必要に応じて抽出する。この抽出したデータを、対応する相手先の通信網識別情報５２の該当する項目に出力することで、通信網識別情報５２を、通信網識別情報記憶部５１に作成する。
【００６４】
作成時、制御部１１は、この対応する通信網識別情報５２に、たとえば図５に示す関連情報５３として、履歴情報、電話番号桁数を示す情報を入力する欄を設けて該当する情報を入力する。
【００６５】
また、ユーザが任意に、操作部９を介して、通信網識別情報５２を作成しても構わない。
【００６６】
なお、発信コードは、通信網識別情報５２を作成するときに、ユーザが任意に入力してもよいし、制御部１１が、基地局Ｂ１５と交信時に得られた情報により、出力しても構わない。
【００６７】
次に、端末１が発信動作を行うときの処理について説明する。
【００６８】
図６は、本発明の実施の形態の通信網システムにおいて、端末１が発信動作を行うときの処理を示すフロー図である。
【００６９】
まず、制御部１１は、予め、発信動作の前から、発信ボタン９１の押下の前から定期的にＰＢＸ網１３が使用可能であるか、通信を行うことにより検出しているものとする。
【００７０】
ユーザは、端末１のメモリ５から発信先の電話番号を選択、或いは操作部９を介して、発信先の電話番号を入力し、そのあとに表示部１０に、発信先の番号を表示した状態で、発信ボタン９１を押下する（Ｓ５１）。
【００７１】
もしくは、ユーザは、発信ボタン９１を押下後、発信先の番号を操作部９からの直接入力や、電話帳データを引用して、表示部１０に表示を行うことにより、発信動作を行ってもよい。
【００７２】
ユーザによる発信指示を受けた制御部１１は、予め検出している通信結果に基づいて、現在、基地局Ｂ１５とアクセス可能であるかを判別する（Ｓ５２）。
【００７３】
基地局Ｂ１５とアクセス不可能、すなわち、端末１が無線ＬＡＮエリアの圏外に存在する場合（Ｓ５２のＮｏ）、すなわち、エリアＡ１８かエリアＤ２１の場合は、次に基地局Ａ１６とアクセス可能であるかを検出する（Ｓ５３）
基地局Ａ１６にアクセス不可能である場合、すなわち、通常の情報通信端末の利用可能エリア外であるエリアＤの場合（Ｓ５３のＮｏ）は、端末１は、公衆網及び移動体通信網１７を利用するための基地局Ａ１６、ＰＢＸ網１３を利用するための基地局Ｂ１５のいずれとも通信不可能の状態であるとして（Ｓ５４）、制御部１１は、表示部１０に『発呼できません』を表示するなど、発信不可である旨の通知をユーザに対して行う。
【００７４】
基地局Ｂ１５とアクセス可能である場合、すなわちエリアＢ１９かエリアＣ２０のいずれかに端末１が存在する場合（Ｓ５２のＹｅｓ）、及び基地局Ａ１６にアクセス可能である場合（Ｓ５３のＹｅｓ）、制御部１１は、操作部９より入力された入力情報と、通信網識別情報記憶部５１に登録されている通信網識別情報５２と比較を行う（Ｓ５５）。
【００７５】
このときに制御部１１は、通信網識別情報５２のみではなく、関連情報５３も用いて比較を行うことが可能である。
【００７６】
比較した結果、入力情報に通信網識別情報５２である外線発信コードや内線発信コードが含まれている場合（Ｓ５６のＹｅｓ）、制御部１は、無線通信部３に対して、基地局Ｂ１５にアクセスするよう指示を行う（Ｓ５７）。これにより、端末１はＰＢＸ網１３と通信を開始する。
【００７７】
つまり、図５に示す『佐藤Ａ太』、『伊藤Ｂ子』の履歴情報に示す電話番号の場合は、それぞれ、発信コードの『８』や、『１』を有するため、基地局Ｂ１５にアクセスする。
【００７８】
一方、比較した結果、発信時の入力情報に、通信網識別情報５２として保持されている、外線発信コードや内線発信コードと一致する発信コードが含まれなかった場合（Ｓ５６のＮｏ）、制御部１１は、表示部１０に表示されている電話番号を用いて、無線通信部３に対して、基地局Ａ１６にアクセスするよう指示を行う（Ｓ５８）。これにより、端末１は、移動体通信網１７及び公衆網と通信を開始する。
【００７９】
すなわち、図５に示す、『山田Ｃ雄』、『鈴木Ｄ美』の履歴情報に示す電話番号の場合である。
【００８０】
これにより、端末１で複数の通信網を利用可能な端末１であっても、電話番号を入力したときに、同時に入力する発信コードの有無、及び発信コードの種別に応じて、任意の通信網を選択可能となる。
【００８１】
このため、ユーザの好みに応じて、同一の電話番号に対して、複数の通信網の中から特定の通信網を選択することが容易に可能となる。
【００８２】
続いて、本発明の第２の実施の形態の端末について説明する。
【００８３】
図７は、第２の実施の形態の端末１´の構成を示すブロック図である。タッチパネル式操作部１０´以外は全て同じであるが、番号に『´』を振っている。
【００８４】
本発明の第１の実施の形態の端末の通信網識別情報５２に含まれる発信コードとは、『８』や『１』などの１桁の数字であった。
【００８５】
本発明の第２の実施の形態の端末の通信網識別情報５２´に含まれる発信コードは、数字情報ではなく、アイコンマークで示すものとする。
【００８６】
また、ユーザは、第１の実施の形態の端末１においては、発信コードと電話番号の情報を、操作部９のテンキー９２を用いて入力していた。
【００８７】
これに対して、第２の実施の形態の端末１においては、端末１´の、タッチパネル式表示部１０´に表示されているアイコンマークをタッチしてから、相手先の電話番号を、テンキーで入力する。
【００８８】
すなわち、第１の実施の形態の端末１と異なる部分は、発信コードの代わりにアイコンマークを使用する点と、表示部１０がタッチパネル式表示部１０´に代わっている点である。タッチパネル式表示部１０´とは、表示された内容をタッチすることにより入力可能であり、いわば操作を兼ねた表示部である。
【００８９】
また図８は第２の実施の形態の通信網識別情報５２´のイメージ図である。
【００９０】
異なる部分は、外線発信コード、及び内線発信コードを示す欄には、数字ではなく、アイコンマークが示されている点である。
【００９１】
ユーザは、端末１´を用いて発信するとき、タッチパネル式表示部１０´に、表示されている複数個のアイコンマークのうち、通信網識別情報５２´で指定されたアイコンマークをタッチしたあとに、所望の発信先を示す電話番号を、テンキーを用いて入力する。
【００９２】
このあと、発信ボタン９１を押下することにより、制御部１１´は、基地局Ｂ１５にアクセスして所望の発信先と通信を行うことが可能となる。
【００９３】
たとえば発信相手先の氏名が『山田花子』である場合、ユーザは、電話番号を押下後、または押下前に、タッチパネル式表示部１０´に表示された『工場マーク』、『携帯電話マーク』のうち、『工場マーク』のアイコンマークをタッチしたとする。
【００９４】
制御部１１は受け付けた入力情報により発信相手先が『山田花子』であること、タッチパネル式表示部１０´からの出力情報が、『工場マーク』であり、通信網識別情報５１と比較した結果、ＰＢＸ網１３を経由して発信を行うべき処理であることを検出する。
【００９５】
この検出内容に基づいて、制御部１１は基地局Ｂ１５にアクセスすることになる。
【００９６】
一方、『携帯電話マーク』のアイコンマークをタッチした場合、制御部１１は受け付けた入力情報により発信相手先が『山田花子』であること、タッチパネル式表示部１０´からの出力情報が、『携帯電話マーク』であり、通信網識別情報５１と比較した結果、移動体通信網１７を経由して発信を行うべき処理であることを検出する。
【００９７】
この検出内容に基づいて、制御部１１は基地局Ａ１６にアクセスすることになる。
【００９８】
以上、第２の実施の形態の通信網選択方法、及びこの選択方法を用いた端末１では、発信コードを視覚的な情報に置き換えることにより、より発信操作のミスを防止することが可能となる。
【図面の簡単な説明】
【００９９】
【図１】本発明の実施の形態における情報通信端末の構成の例を示すブロック図である。
【図２】本発明の実施の形態を示す通信網システムのブロック図である。
【図３】本発明の実施の形態における様々な通信網のエリアの存在を示すイメージ図である。
【図４】本発明の実施の形態の情報通信端末における通信網識別情報記憶部で保持される通信網識別情報を示すイメージ図である。
【図５】本発明の実施の形態の情報通信端末における通信網識別情報記憶部で保持される関連情報の一覧表を示すイメージ図である。
【図６】本発明の実施の形態の情報通信端末の発信動作を行うときの処理を示すフロー図である。
【図７】本発明の第２の実施の形態における情報通信端末の構成の例を示すブロック図である。
【図８】本発明の第２の実施の形態の情報通信端末における通信網識別情報記憶部で保持される通信網識別情報を示すイメージ図である。
【符号の説明】
【０１００】
１    情報通信端末
１´    情報通信端末
２    音声処理部
２´    音声処理部
３    無線通信部
３´    無線通信部
４    アンテナ
４´    アンテナ
５    ＲＡＭ（メモリ）
５´    ＲＡＭ（メモリ）
５１    通信網識別情報記憶部
５１´    通信網識別情報記憶部
５２    通信網識別情報
５２´    通信網識別情報
５３    関連情報
５３´    関連情報
６    ＲＯＭ（メモリ）
６´    ＲＯＭ（メモリ）
７    スピーカ
７´    スピーカ
８    マイク
８´    マイク
９    操作部
９´    操作部
９１    発信ボタン
９１´    発信ボタン
９２    テンキー
９２´    テンキー
１０    表示部
１０´    タッチパネル式表示部
１１    制御部
１１´    制御部
１２    ＣＰＵ
１２´    ＣＰＵ
１３    ＰＢＸ網
１４    ＰＢＸ
１５    基地局Ｂ
１６    基地局Ａ
１７    移動通信網
１８    エリアＡ
１９    エリアＢ
２０    エリアＣ
２１    エリアＤ
【図１】
2008177727.tif 000003
【図２】
2008177727.tif 000004
【図３】
2008177727.tif 000005
【図４】
2008177727.tif 000006
【図５】
2008177727.tif 000007
【図６】
2008177727.tif 000008
【図７】
2008177727.tif 000009
【図８】
2008177727.tif 000010